(57)【特許請求の範囲】
【請求項１】
中央に支軸を立設した基枠と、中央に形成したボス部を前記支軸にその支軸の軸心方向に沿って摺動可能及び該軸心回りで揺動可能に嵌合するレンズホルダと、前記ボス部に外嵌するフォーカスコイルと、レンズホルダの両側面に配置された一対のトラッキングコイルと、レンズホルダを間に挟んで前記基枠の両側部に配置された一対のマグネットとを有する対物レンズユニットにおいて、各トラッキングコイル及びフォーカスコイルを瞬間接着剤によりレンズホルダの所定位置に仮止めし、前記レンズホルダと各トラッキングコイルの外周面との間にエポキシ樹脂製接着剤を塗布し、各トラッキングコイルの中心孔内にエポキシ樹脂製接着剤を充填し、レンズホルダ及び各トラッキングコイルとフォーカスコイルとの間の隙間にエポキシ樹脂製接着剤を充填し、そのエポキシ樹脂製接着剤を加熱して硬化させ、その硬化エポキシ製接着剤により、各トラッキングコイルの外周面に沿う補強枠部と、各トラッキングコイルの中心孔内に充填した補強芯部と、レンズホルダ及び各トラッキングコイルとフォーカスコイルとの間の隙間内に充填した補強連結部とがそれぞれ形成されていることを特徴とする対物レンズユニット。
【発明の詳細な説明】
【０００１】
【発明の属する技術分野】
本発明は、例えばＣＤ、ＤＶＤなどに用いる光ピックアップの対物レンズユニットに関する。
【０００２】
【従来の技術】
従来、対物レンズユニットの技術の一つとして特開２０００−３４８３６０号公報に記載したものがある。これは、図９及び図１０に示すように、中央に支軸１を立設した基枠２と、中央に形成したボス部３ａを支軸１にその支軸１の軸心Ｏ方向に沿って摺動可能及び該軸心Ｏ回りで揺動可能に嵌合するレンズホルダ３と、前記ボス部３ａに外嵌するフォーカスコイル４と、レンズホルダ３の両側面に配置された一対のトラッキングコイル５と、レンズホルダ３を間に挟んで基枠２の両側部に配置された一対のマグネット６と、レンズホルダ３の貫通孔３ｂに挿通した一対のヨーク９に固着したマグネット８とを有しており、フォーカスコイル４に通電してレンズホルダ３を軸心Ｏに沿ってフォーカス方向ａ，ｂに摺動させることにより、レンズホルダ３に設けた対物レンズ７の焦点をディスク（図示せず）に合わせ、トラッキングコイル５に通電してレンズホルダ３を軸心Ｏ回りでトラッキング方向ｃ，ｄに揺動させることにより、ディスクの所定のトラックを追従する。
【０００３】
組立手順を説明すると、該各コイル４，５をレンズホルダ３の所定位置に押しつけた状態で、その各コイル４，５に通電して自己発熱させ、これにより各コイル４，５の融着皮膜を溶融させた後、通電を止めて融着皮膜を冷却し、その冷却により再硬化させた融着皮膜により各コイル４，５をレンズホルダ３に接着固定するようになっている。
【０００４】
【発明が解決しようとする課題】
上記従来の構成では、フォーカスコイル４及び各トラッキングコイル５の融着皮膜の肉厚が薄く、その融着皮膜による接着力が弱いため、フォーカスコイル４及び各トラッキングコイル５をレンズホルダ３に接着固定した状態が不確実である。このため、各トラッキングコイル５に通電してレンズホルダ３をトラッキング方向ｃ，ｄに揺動させる際に、共振現象によりレンズホルダが不測に動揺してフォーカスコイル４によるフォーカスサーボ特性が不安定になるおそれがある。
【０００５】
そこで、瞬間接着剤を用いてフォーカスコイル４及び各トラッキングコイル５をレンズホルダ３に接着させることが考えられるが、これでは、その瞬間接着剤の強度が小さいため、各コイル４，５がレンズホルダ３から剥がれやすい。
【０００６】
また、紫外線硬化型接着剤を用いてフォーカスコイル４及び各トラッキングコイル５をレンズホルダ３に接着させることが考えられるが、これでは、各コイル４，５の取り付け状態が複雑であるため、紫外線を全体的に均等に照射することが困難であり、硬化状態が不揃いになりやすい。
【０００７】
更に、レンズホルダ３に加工を施して各コイル４，５を収納するためのポケットを形成することが考えられるが、これでは、ポケットを形成した分だけレンズホルダ３の形状が複雑になり、その金型代が高くつく。
【０００８】
本発明は、上記従来の欠点に鑑み、安価でフォーカスコイル及び各トラッキングコイルを確実に固定することができるようにした対物レンズユニットを提供することを目的としている。
【０００９】
【課題を解決するための手段】
上記目的を達成するため、請求項１に記載の発明は、中央に支軸を立設した基枠と、中央に形成したボス部を前記支軸にその支軸の軸心方向に沿って摺動可能及び該軸心回りで揺動可能に嵌合するレンズホルダと、前記ボス部に外嵌するフォーカスコイルと、レンズホルダの両側面に配置された一対のトラッキングコイルと、レンズホルダを間に挟んで前記基枠の両側部に配置された一対のマグネットとを有する対物レンズユニットにおいて、各トラッキングコイル及びフォーカスコイルを瞬間接着剤によりレンズホルダの所定位置に仮止めし、前記レンズホルダと各トラッキングコイルの外周面との間にエポキシ樹脂製接着剤を塗布し、各トラッキングコイルの中心孔内にエポキシ樹脂製接着剤を充填し、レンズホルダ及び各トラッキングコイルとフォーカスコイルとの間の隙間にエポキシ樹脂製接着剤を充填し、そのエポキシ樹脂製接着剤を加熱して硬化させ、その硬化エポキシ製接着剤により、各トラッキングコイルの外周面に沿う補強枠部と、各トラッキングコイルの中心孔内に充填した補強芯部と、レンズホルダ及び各トラッキングコイルとフォーカスコイルとの間の隙間内に充填した補強連結部とがそれぞれ形成されていることを特徴としている。
【００１０】
上記構成によれば、各トラッキングコイルの周辺からフォーカスコイルにかけてエポキシ樹脂製接着剤を塗布することにより、各トラッキングコイルの外周面に沿って補強枠部を形成すると共に、各トラッキングコイルの中心孔に補強芯部を形成し、且つレンズホルダ及び各トラッキングコイルとフォーカスコイルとの間の隙間に補強連結部を形成し、これによって、各トラッキングコイル及びフォーカスコイルをレンズホルダに強固に一体連結しているので、その各トラッキングコイルに通電してレンズホルダをトラッキング方向に揺動させる際のレンズホルダの共振ピークを低減させることができる。従って、従来のように共振現象によりレンズホルダが不測に動揺したりせず、フォーカスコイルによるフォーカスサーボ特性を安定させることができる。
【００１１】
また、前記補強枠や補強芯部及び補強連結部を形成するにあたって、エポキシ樹脂製接着剤を各トラッキングコイルの周辺からフォーカスコイルにかけて塗布するだけでよく、レンズホルダに特別の加工を施す必要がないから、そのレンズホルダの金型代が安くつく。
【００１２】
【発明の実施の形態】
図１から図３は本発明の実施の一形態である対物レンズユニットを示し、図４から図７はその要部を示し、図８は接着剤を塗布する前の要部を示すものであって、各トラッキングコイル５の周辺からフォーカスコイル４にかけてエポキシ樹脂製接着剤Ｅを塗布することにより、各トラッキングコイル５の外周面に沿って補強枠部１１を形成すると共に、各トラッキングコイル５の中心孔５ａに補強芯部１２を形成し、且つレンズホルダ３及び各トラッキングコイル５とフォーカスコイル４との間の隙間に補強連結部１３を形成している。
【００１３】
なお、マグネット６は各トラッキングコイル５及びフォーカスコイル４に兼用で使用され、レンズホルダ３の側面に各トラッキングコイル５を位置決めするための突起部３ｃが突設され、ボス部３ａにフォーカスコイル４を嵌合させるための矩形枠部３ｄが一体形成され、基枠２上の起立板２ａに設けたプリント基板１４から延びるリード線１４ａが各トラッキングコイル５及びフォーカスコイル４に接続されている。上記以外の構成は図９及び図１０に示す構成とほぼ同じであるから、同一部分に同一符号を付してその説明を省略する。
【００１４】
前記補強枠部１１は、図４から図７に示すように、レンズホルダ３と各トラッキングコイル５の外周面との間にエポキシ樹脂製接着剤Ｅを塗布することにより、その各トラッキングコイル５の外周面に沿って略コ字状に形成されている。
【００１５】
上記構成によれば、各トラッキングコイル５の外周面に沿って形成した補強枠部１１により該各トラッキングコイル５がレンズホルダ３に強固に固定されているので、その各トラッキングコイル５に通電してレンズホルダ３をトラッキング方向ｃ，ｄに揺動させる際のレンズホルダ３の共振ピークを低減させることができる。従って、従来のように共振現象によりレンズホルダ３が不測に動揺したりせず、フォーカスコイル４によるフォーカスサーボ特性を安定させることができる。また、レンズホルダ３と各トラッキングコイル５の外周面との間にエポキシ樹脂製接着剤Ｅを塗布するだけで前記補強枠を形成することができ、レンズホルダ３に特別の加工を施す必要がないから、そのレンズホルダ３の金型代が安くつく。
【００１６】
前記補強芯部１２は、図４から図７に示すように、各トラッキングコイル５の中心孔５ａ内にエポキシ樹脂製接着剤Ｅを充填することにより、略矩形突起状に形成されている。
【００１７】
上記構成によれば、前述した補強枠部１１と、該各トラッキングコイル５の中心孔５ａに充填した補強芯部１２とにより、その各トラッキングコイル５をレンズホルダ３に一層強固に固定することができ、これによって、フォーカスサーボ特性を一層安定させることができる。また、各トラッキングコイル５の中心孔５ａ内にエポキシ樹脂製接着剤Ｅを充填するだけで補強芯部１２を形成することができ、レンズホルダ３に特別の加工を施す必要がないから、そのレンズホルダ３の金型代が安くつく。
【００１８】
前記補強連結部１３は、図４から図７に示すように、レンズホルダ３及び各トラッキングコイル５とフォーカスコイル４との間の隙間にエポキシ樹脂製接着剤Ｅを充填することにより形成されている。
【００１９】
上記構成によれば、レンズホルダ３及び各トラッキングコイル５とフォーカスコイル４とをその間に充填したエポキシ樹脂製接着剤Ｅからなる補強連結部１３により強固に一体連結することができ、これによってフォーカスサーボ特性の安定化を図ることができる。
【００２０】
組立手順を説明すると、各トラッキングコイル５及びフォーカスコイル４を瞬間接着剤によりレンズホルダ３の所定位置に仮止めし、次に、各トラッキングコイル５の周辺からフォーカスコイル４にかけてエポキシ樹脂製接着剤Ｅを塗布することにより、補強枠部１１や補強芯部１２及び補強連結部１３を形成し、続いて、電熱炉内に入れて１００°Ｃ程度に加熱することによりエポキシ樹脂製接着剤Ｅを硬化させればよい。
【００２１】
【発明の効果】
請求項１に記載の発明によれば、各トラッキングコイルの周辺からフォーカスコイルにかけてエポキシ樹脂製接着剤を塗布することにより、各トラッキングコイルの外周面に沿って補強枠部を形成すると共に、各トラッキングコイルの中心孔に補強芯部を形成し、且つレンズホルダ及び各トラッキングコイルとフォーカスコイルとの間の隙間に補強連結部を形成し、これによって、各トラッキングコイル及びフォーカスコイルをレンズホルダに強固に一体連結しているので、その各トラッキングコイルに通電してレンズホルダをトラッキング方向に揺動させる際のレンズホルダの共振ピークを低減させることができる。従って、従来のように共振現象によりレンズホルダが不測に動揺したりせず、フォーカスコイルによるフォーカスサーボ特性を安定させることができる。
【００２２】
また、前記補強枠や補強芯部及び補強連結部を形成するにあたって、エポキシ樹脂製接着剤を各トラッキングコイルの周辺からフォーカスコイルにかけて塗布するだけでよく、レンズホルダに特別の加工を施す必要がないから、そのレンズホルダの金型代が安くつく。
【図面の簡単な説明】
【図１】本発明の実施の一形態である対物レンズユニットを示す平面図である。
【図２】図１のＡ−Ａ矢視図である。
【図３】図１のＢ−Ｂ矢視図である。
【図４】同要部の斜視図である。
【図５】図４のＣ−Ｃ矢視図である。
【図６】図４のＤ−Ｄ矢視図である。
【図７】同要部の分解斜視図である。
【図８】同接着剤を塗布する前の要部の分解斜視図である。
【図９】従来例を示す平面図である。
【図１０】同縦断面図である。
【符号の説明】
１        支軸
２        基枠
３        レンズホルダ
３ａ      レンズホルダのボス部
４        フォーカスコイル
５        トラッキングコイル
５ａ      トラッキングコイルの中心孔
６        マグネット
１１      補強枠部
１２      補強芯部
１３      補強連結部
Ｅ        エポキシ樹脂製接着剤
Ｏ        支軸の軸心
【図１】
0003614140.tif 000002
【図２】
0003614140.tif 000003
【図３】
0003614140.tif 000004
【図４】
0003614140.tif 000005
【図５】
0003614140.tif 000006
【図６】
0003614140.tif 000007
【図７】
0003614140.tif 000008
【図８】
0003614140.tif 000009
【図９】
0003614140.tif 000010
【図１０】
0003614140.tif 000011